(57)【要約】【課題】  既存の眼鏡に取り付けた状態で補助レンズ片の使用状態と未使用状態とを切り換えることができる眼鏡補助具を提供することを目的とする。【解決手段】  眼鏡１に着脱自在に取り付けられると共に眼鏡１の左右のレンズ２，２の前面10に沿って上下に揺動可能な左右２枚の横長状の補助レンズ片３，３を備える。かつ、補助レンズ片３を上下に揺動してレンズ２の上部に配置される未使用状態とレンズ２の中央域に配置される使用状態とに切り換える切換手段４を具備するものである。【選択図】  図１
0003111039.tif 000002
【実用新案登録請求の範囲】
【請求項１】
眼鏡（１）に着脱自在に取り付けられると共に該眼鏡（１）の左右のレンズ（２)(２）の前面（10）に沿って上下に揺動可能な左右２枚の横長状の補助レンズ片（３)(３）を備え、該補助レンズ片（３）を上下に揺動して上記レンズ（２）の上部に配置される未使用状態とレンズ（２）の中央域に配置される使用状態とに切り換える切換手段（４）を具備することを特徴とする眼鏡補助具。
【請求項２】
眼鏡（１）に着脱自在に取り付けられると共に該眼鏡（１）の左右のレンズ（２)(２）の前面（10）に沿って上下に揺動可能な左右２枚の横長状の補助レンズ片（３)(３）を備え、該補助レンズ片（３）を上下に揺動して上記レンズ（２）の上部に配置される未使用状態とレンズ（２）の中央域に配置される使用状態とに切り換える切換手段（４）を具備し、上記補助レンズ片（３)(３）は互いに接近する内端部をピン（８）にて揺動自在に取り付けられ、上記切換手段（４）は、上記ピン（８）を中心にラジアル方向へ伸びて形成された複数の凸部（６）を有する冠歯車状の係止部（11）と、その係止部（11）の複数の凸部（６）間を相対的に移動し所望の位置で係止可能な凹部（５）を有する係止受部（７）と、を備えたことを特徴とする眼鏡補助具。
【請求項３】
眼鏡（１）に取付具（９）にて着脱自在に取り付けられると共に該眼鏡（１）の左右のレンズ（２)(２）の前面（10）に沿って上下に揺動可能な左右２枚の横長状の補助レンズ片（３)(３）を備え、上記取付具（９）は、該補助レンズ片（３）を上下に揺動して上記レンズ（２）の上部に配置される未使用状態とレンズ（２）の中央域に配置される使用状態とに切り換える切換手段（４）を具備し、上記補助レンズ片（３)(３）は互いに接近する内端部をピン（８）にて揺動自在に取り付けられ、上記切換手段（４）は、上記ピン（８）を中心にラジアル方向へ伸びて形成された複数の凸部（６）を有する冠歯車状の係止部（11）と、その係止部（11）の複数の凸部（６）間を相対的に移動し所望の位置で係止可能な凹部（５）を有する係止受部（７）と、を備え、さらに、上記補助レンズ片（３）が上記取付具（９）に着脱自在に保持され別の補助レンズ片（３）と交換可能に構成されていることを特徴とする眼鏡補助具。
【考案の詳細な説明】
【技術分野】
【０００１】
本考案は、既存の眼鏡に取り付ける眼鏡補助具に関する。
【背景技術】
【０００２】
用途に応じて光学的機能の異なる眼鏡（例えば、近視用眼鏡と老眼用眼鏡）を掛け替えることは面倒な作業であった。この問題を解決するために、従来は、既存の眼鏡を掛けたまま、その眼鏡のフレームに用途の異なる補助眼鏡を着脱自在に取り付けることができるものがあった（例えば、特許文献１参照）。
【特許文献１】特開平１０−２８８７５９号公報
【考案の開示】
【考案が解決しようとする課題】
【０００３】
しかし、補助眼鏡を使用しない状態、つまり、既存の眼鏡（のレンズ）を使用する際は、補助眼鏡を取り外さなければならないので、取り外した補助眼鏡は別途保持しておく必要があった。そのため、外出したりする場合は、補助眼鏡を携帯するのを忘れたり、また、紛失したりする虞があった。
そこで、本考案は、既存の眼鏡に取り付けた状態で補助レンズ片の使用状態と未使用状態とを切り換えることができる眼鏡補助具を提供することを目的とする。
【課題を解決するための手段】
【０００４】
上記目的を達成するために、本考案に係る眼鏡補助具は、眼鏡に着脱自在に取り付けられると共に該眼鏡の左右のレンズの前面に沿って上下に揺動可能な左右２枚の横長状の補助レンズ片を備え、該補助レンズ片を上下に揺動して上記レンズの上部に配置される未使用状態とレンズの中央域に配置される使用状態とに切り換える切換手段を具備するものである。
【０００５】
また、眼鏡に着脱自在に取り付けられると共に該眼鏡の左右のレンズの前面に沿って上下に揺動可能な左右２枚の横長状の補助レンズ片を備え、該補助レンズ片を上下に揺動して上記レンズの上部に配置される未使用状態とレンズの中央域に配置される使用状態とに切り換える切換手段を具備し、上記補助レンズ片は互いに接近する内端部をピンにて揺動自在に取り付けられ、上記切換手段は、上記ピンを中心にラジアル方向へ伸びて形成された複数の凸部を有する冠歯車状の係止部と、その係止部の複数の凸部間を相対的に移動し所望の位置で係止可能な凹部を有する係止受部と、を備えたものである。
【０００６】
また、眼鏡に取付具にて着脱自在に取り付けられると共に該眼鏡の左右のレンズの前面に沿って上下に揺動可能な左右２枚の横長状の補助レンズ片を備え、上記取付具は、該補助レンズ片を上下に揺動して上記レンズの上部に配置される未使用状態とレンズの中央域に配置される使用状態とに切り換える切換手段を具備し、上記補助レンズ片は互いに接近する内端部をピンにて揺動自在に取り付けられ、上記切換手段は、上記ピンを中心にラジアル方向へ伸びて形成された複数の凸部を有する冠歯車状の係止部と、その係止部の複数の凸部間を相対的に移動し所望の位置で係止可能な凹部を有する係止受部と、を備え、さらに、上記補助レンズ片が上記取付具に着脱自在に保持され別の補助レンズ片と交換可能に構成されているものである。
【考案の効果】
【０００７】
本考案は、次のような著大な効果を奏する。
本考案に係る眼鏡補助具によれば、眼鏡を掛けたまま補助レンズ片を使用状態と未使用状態とに簡単に切り換えることができる。さらに、眼鏡のレンズのみを使用する場合は、補助レンズ片を眼鏡の上部に配置して未使用状態にしておけば眼鏡に取り付けていても邪魔にならない。
従って、従来のように、用途に応じて補助眼鏡を取り外す必要はなくなるので、眼鏡補助具を携帯するのを忘れたり、紛失するのを防止できる。
また、補助レンズ片は、眼鏡のレンズの前面に沿って上下に揺動し、眼鏡の前方に突出したりレンズの輪郭線から極端にはみ出すことはないので、コンパクトに眼鏡に取り付けて使用できる。
【考案を実施するための最良の形態】
【０００８】
以下、実施の形態に示す図面に基づき本考案を詳説する。
図１〜図４に示す第１の実施の形態に於て、１は、フレーム12にレンズ２，２が取り付けられた既存の眼鏡であり、眼鏡１には左右２枚の横長状の透明の補助レンズ片３，３が取付具９にて着脱自在に取り付けられている。補助レンズ片３は、左右の各レンズ２の前面10に沿って上下に揺動可能となっている。さらに、その補助レンズ片３を上下に揺動して、レンズ２の上部に配置される未使用状態と、レンズ２の中央域に配置される使用状態とに、切り換える切換手段４を具備している。
また、レンズ２の中央域とは、図２又は図３に示すように、眼鏡１を装着した者が正面を見たときに視線Ｘがレンズ２と交差する位置の近傍をいう。そして、正面視に於て、補助レンズ片３は未使用状態では視線Ｘと重ならず、使用状態で視線Ｘと重なるようになっている。
【０００９】
樹脂製の取付具９は、左右のレンズ２，２の互いに接近する内側の上部に着脱自在に取り付けられている。さらに、取付具９は、レンズ２が嵌め込まれたフレーム12の左右のリング部15，15の上部に橋絡状に取り付けられる横断面倒立凹状の連結部材14と、連結部材14の下端部に垂設される４枚の挟持片13と、から成っている。
そして、眼鏡１の各レンズ２の前後に配置される挟持片13ａ，13ｂは、互いに接近する方向にはたらく弾発力にてレンズ２を挟持している（図４参照）。つまり、取付具９が眼鏡１に取り付けられていない状態では、前後の挟持片13ａ，13ｂの上下中間位置の間隔寸法が、レンズ２の厚さ寸法より小さくなるように形成されている。また、取付具９を眼鏡１に上方から嵌め込んで取り付け易くするために、前後の挟持片13ａ，13ｂは、それぞれの下端縁に向かって前後に離れるように湾曲して形成されている。
【００１０】
図２に示すように、レンズ２の前面10側に配置される挟持片13ａには、補助レンズ片３，３の互いに接近する内端部がピン８にて揺動自在に付設されている。また、補助レンズ片３は、未使用状態では、レンズ２の上部に水平状に配設され、使用状態では、補助レンズ片３の外端部が下傾状に配設されている。また、正面視に於て、補助レンズ片３の（正面）面積は、レンズ２の（正面）面積の20％以上40％以下となるように設定されている。補助レンズ片３の面積がレンズ２の面積の20％未満になると、使用状態で補助レンズ片３を通して見える視野の範囲が小さくなり過ぎ使用しにくいものとなるからであり、40％を越えると、未使用状態にしても補助レンズ片３が視線Ｘと重なるからである。
【００１１】
図４に於て、補助レンズ片３を未使用状態と使用状態とに切り換える切換手段４は、前方の挟持片13ａの補助レンズ片３との当接面（前面）に有する係止部11と、補助レンズ片３の前方の挟持片13ａとの当接面（後面）に有する係止受部７と、から成っている。
【００１２】
係止部11は、複数の凸部６を有する冠歯車状に形成されている。具体的には、この凸部６は、挟持片13ａの前面に形成され、かつ、ピン８を中心としてラジアル方向へ（放射状に）伸びて形成されている（図２参照）。
また、係止受部７は、係止部11が有する複数の凸部６と係合する複数の凹部５を有し、この凹部５は、補助レンズ片３の後面にピン８を中心としてラジアル方向へ（放射状に）伸びて形成されている。
そして、係止受部７の凹部５は、補助レンズ片３の上下揺動に伴って係止部11の複数の凸部６間を相対的にかつ段階的に移動し、所望の位置で係止可能となっている。
【００１３】
次に、図５と図６に示す第２の実施の形態について説明する。また、本考案の眼鏡補助具は左右対称に構成されているものであり、図５と図６では、眼鏡補助具の左目の方へ装着される部分を示し、右目の方へ装着される部分については省略している。
レンズ２及びレンズ２を保持する図示省略のフレーム12には、補助レンズ片３を保持する取付具９が着脱自在に取り付けられている。この取付具９は、左右のレンズ２，２の上部に橋絡状に配設される横断面倒立凹状の連結部材14と、連結部材14の下端部に垂設される４枚の挟持片13と、から成っている。
レンズ２の前面10側に配置される挟持片13ａには、上下に揺動可能な補助レンズ片３が取り付けられ、補助レンズ片３は、切換手段４にて、レンズ２の上部に配置される未使用状態と、レンズ２の中央域に配置される使用状態とに切換可能となっている。さらに、補助レンズ片３は取付具９に着脱自在に保持されており、別の補助レンズ片３と交換可能に構成されている。
【００１４】
具体的には、図６に示すように、この切換手段４は、先端（左右側外方）に向かって互いに平行に分岐した腕部19，19を備える保持部材18を有し、保持部材18の基端部はピン８にて前方の挟持片13ａの前面に上下に揺動自在に付設されている。また、腕部19，19の先端の互いに向かい合う面には、小突隆部21，21が突設されている。
また、切換手段４は、前方の挟持片13ａの前面に設けられる係止部11と、保持部材18の基端部の後面に設けられる係止受部７と、を有している。
係止受部７は、挟持片13ａの前面に形成される複数の凹部５を有し、この複数の凹部５全体は、ピン８を中心として側外方へ拡がる扇形に形成されている。
係止部11は、保持部材18の上下揺動に伴って係止受部７の複数の凹部５間を相対的にかつ段階的に移動し、所望の位置で係止可能な凸部６を有している（図示省略）。
【００１５】
補助レンズ片３は保持部材18に着脱自在に挟持され、補助レンズ片３の前後両面には、保持部材18の腕部19，19がスライドして嵌め込まれるガイド溝20，20が形成され、さらに、ガイド溝20には、腕部19の先端の小突隆部21が係脱自在に嵌合する凹窪状の抜止め部22が形成されている。また、補助レンズ片３がレンズ２の上部に配置された未使用状態に於て、ガイド溝20は、補助レンズ片３の上部の内端縁から側外方に水平状に伸びて形成され、抜止め部22は、ガイド溝20の側外方の端部に形成されている。
なお、図５と図６に於て、上記説明した以外に図１〜図４と同一の符号は図１〜図４と同様の構成であるので説明を省略する。
【００１６】
図７に示す第３の実施の形態に於て、眼鏡１に着脱自在に取り付けられる取付具９は、眼鏡１の各レンズ２の前後に配設される４枚の挟持片13を有し、前後の挟持片13ａ，13ｂは、その上端部を中心に前後に揺動して開閉自在となっている。つまり、前後の挟持片13ａ，13ｂのそれぞれの上端部は、下方突状に湾曲した板バネ材16にて連結され、挟持片13ａ，13ｂの下端部が互いに接近・離間可能に設けられている。さらに、板バネ材16の上方には、シート状のカバー部材17が設けられ、カバー部材17は、前後の挟持片13ａ，13ｂの上端部に橋絡状に取り付けられている。また、カバー部材17はゴム製又は軟質樹脂製の柔らかい素材で形成されており、（挟持片13ａ，13ｂの下端部を開くために）挟持片13ａ，13ｂの上端部を指で挟んで互いに接近させても、カバー部材17が干渉することはない。
なお、図７に於て、図４と同一の符号は図４と同様の構成であるので説明を省略する。
【００１７】
本考案の眼鏡補助具は設計変更自由であり、切換手段４は、補助レンズ片３が未使用状態と使用状態の上下揺動範囲を越えて揺動しないようにするためのストッパを備えていてもよい。また、補助レンズ片３を上下に揺動操作し易くするために、補助レンズ片３，３の側外方の端部に操作用の突起部を突設してもよい。
また、眼鏡１のレンズ２を近眼用レンズとし、補助レンズ片３を老眼用レンズとする等、レンズ２と補助レンズ片３は用途に応じて光学的機能の異なるレンズを用いればよい。
【００１８】
上述した本考案である眼鏡補助具の使用方法（作用）について説明する。
図１に於て、既存の眼鏡１に上方から取付具９を嵌め込んで本考案の眼鏡補助具を取り付け、眼鏡１を装着する。そして、補助レンズ片３を使用する場合（例えば、眼鏡１のレンズ２を近眼用レンズとし、補助レンズ片３を老眼用レンズとした場合は、本や新聞の文字等を見たりする比較的近い箇所を見る際）は、図２に示すように、眼鏡１を掛けたままで補助レンズ片３を指で下方へ揺動させ、レンズ２の中央域に配置し使用状態にする。また、補助レンズ片３を必要としなくなった時は、補助レンズ片３をレンズ２の上部へ揺動させて未使用状態にする。
また、この眼鏡補助具を別の眼鏡１に使用したい場合は、眼鏡１から取付具９を外して、別の眼鏡１に取り付けるとよい。
【００１９】
以上のように、本考案である眼鏡補助具は、眼鏡１に着脱自在に取り付けられると共に眼鏡１の左右のレンズ２，２の前面10に沿って上下に揺動可能な左右２枚の横長状の補助レンズ片３，３を備え、補助レンズ片３を上下に揺動してレンズ２の上部に配置される未使用状態とレンズ２の中央域に配置される使用状態とに切り換える切換手段４を具備するので、眼鏡１を掛けたまま補助レンズ片３を使用状態と未使用状態とに簡単に切り換えることができる。さらに、眼鏡１のレンズ２のみを使用する場合は、補助レンズ片３を眼鏡１の上部に配置して未使用状態にしておけば眼鏡１に取り付けていても邪魔にならない。  従って、従来のように、用途に応じて補助眼鏡を取り外す必要はなくなるので、眼鏡補助具を携帯するのを忘れたり、紛失するのを防止できる。
また、補助レンズ片３は、眼鏡１のレンズ２の前面10に沿って上下に揺動し、眼鏡１の前方に突出したりレンズ２の輪郭線から極端にはみ出すことはないので、コンパクトに眼鏡１に取り付けて使用できる。
【００２０】
また、眼鏡１に着脱自在に取り付けられると共に眼鏡１の左右のレンズ２，２の前面10に沿って上下に揺動可能な左右２枚の横長状の補助レンズ片３，３を備え、補助レンズ片３を上下に揺動してレンズ２の上部に配置される未使用状態とレンズ２の中央域に配置される使用状態とに切り換える切換手段４を具備し、補助レンズ片３，３は互いに接近する内端部をピン８にて揺動自在に取り付けられ、切換手段４は、ピン８を中心にラジアル方向へ伸びて形成された複数の凸部６を有する冠歯車状の係止部11と、その係止部11の複数の凸部６間を相対的に移動し所望の位置で係止可能な凹部５を有する係止受部７と、を備えたので、眼鏡１を掛けたまま補助レンズ片３を使用状態と未使用状態とに簡単に切り換えることができる。さらに、眼鏡１のレンズ２のみを使用する場合は、補助レンズ片３を眼鏡１の上部に配置して未使用状態にしておけば眼鏡１に取り付けていても邪魔にならない。
従って、従来のように、用途に応じて補助眼鏡を取り外す必要はなくなるので、眼鏡補助具を携帯するのを忘れたり、紛失するのを防止できる。
また、補助レンズ片３は、眼鏡１のレンズ２の前面10に沿って上下に揺動し、眼鏡１の前方に突出したりレンズ２の輪郭線から極端にはみ出すことはないので、コンパクトに眼鏡１に取り付けて使用できる。
さらに、切換手段４にて、補助レンズ片３を使用状態と未使用状態とに容易かつスムースに切り換えることができる。
【００２１】
また、眼鏡１に取付具９にて着脱自在に取り付けられると共に眼鏡１の左右のレンズ２，２の前面10に沿って上下に揺動可能な左右２枚の横長状の補助レンズ片３，３を備え、取付具９は、補助レンズ片３を上下に揺動してレンズ２の上部に配置される未使用状態とレンズ２の中央域に配置される使用状態とに切り換える切換手段４を具備し、補助レンズ片３，３は互いに接近する内端部をピン８にて揺動自在に取り付けられ、切換手段４は、ピン８を中心にラジアル方向へ伸びて形成された複数の凸部６を有する冠歯車状の係止部11と、その係止部11の複数の凸部６間を相対的に移動し所望の位置で係止可能な凹部５を有する係止受部７と、を備え、さらに、補助レンズ片３が取付具９に着脱自在に保持され別の補助レンズ片３と交換可能に構成されているので、眼鏡１を掛けたまま補助レンズ片３を使用状態と未使用状態とに簡単に切り換えることができる。さらに、眼鏡１のレンズ２のみを使用する場合は、補助レンズ片３を眼鏡１の上部に配置して未使用状態にしておけば眼鏡１に取り付けていても邪魔にならない。
従って、従来のように、用途に応じて補助眼鏡を取り外す必要はなくなるので、眼眼鏡補助具を携帯するのを忘れたり、紛失するのを防止できる。
また、補助レンズ片３は、眼鏡１のレンズ２の前面10に沿って上下に揺動し、眼鏡１の前方に突出したりレンズ２の輪郭線から極端にはみ出すことはないので、コンパクトに眼鏡１に取り付けて使用できる。
さらに、切換手段４にて、補助レンズ片３を使用状態と未使用状態とに容易かつスムースに切り換えることができる。
補助レンズ片３を別の補助レンズ片３と簡単に交換することができる。従って、用途に応じて光学的機能の異なる補助レンズ片３に取り換えて使用することができ、また、補助レンズ片３が破損しても新しい補助レンズ片３と交換するだけでよい。
【図面の簡単な説明】
【００２２】
【図１】本考案の第１の実施の形態を示す斜視図である。
【図２】正面図である。
【図３】側面図である。
【図４】要部断面側面図である。
【図５】第２の実施の形態を示す斜視図である。
【図６】補助レンズ片を保持部材から取り外した状態を示す斜視図である。
【図７】第３の実施の形態を示す要部断面側面図である。
【符号の説明】
【００２３】
１  眼鏡
２  レンズ
３  補助レンズ片
４  切換手段
５  凹部
６  凸部
７  係止受部
８  ピン
９  取付具
10  前面
11  係止部
【図１】
0003111039.tif 000003
【図２】
0003111039.tif 000004
【図３】
0003111039.tif 000005
【図４】
0003111039.tif 000006
【図５】
0003111039.tif 000007
【図６】
0003111039.tif 000008
【図７】
0003111039.tif 000009